(57)【要約】【課題】記録処理を好適に行うことができる複写装置を提供する。【解決手段】画像の読取に際しては、図３（ａ）に示す主走査方向に沿って形成されるセンサ（図示略）を、副走査方向に移動させる。ここで、画像の読取可能な最大の領域は、主走査方向と比較して副走査方向の方が長くなっている。これに応じて、画像を記録するための記録用紙５０の最大サイズのものについても、図３（b）に示すように、長方形状となっている。ただし、画像の読取時には、最大読取領域の長手方向に移動しつつ画像を読み取る一方、記録時には、長方形状の記録用紙５０の短手方向に移動しつつ画像を記録する。このため、画像の記録は画像データの生成処理の完了後に行われる。記録用紙５０を記録可能な位置まで移動させる処理の完了タイミングを、画像データの生成処理の完了タイミングに同期させる。【選択図】図３
2014143556.tif 000002
【特許請求の範囲】
【請求項１】
原稿の画像を読み取り、画像データを生成する読取部と、
被記録媒体への画像の記録が可能となる位置に該被記録媒体を供給する供給部と、
前記読取部により生成された画像データによって表現される画像を前記供給部によって供給された前記被記録媒体に記録する記録部と、
制御部と、
を備え、
前記制御部は、
前記読取部による１の原稿の画像の読み取り開始後であって且つ該原稿に関する画像データの生成が完了する以前に前記記録部による記録処理を開始して前記１の原稿の画像を前記被記録媒体に記録する逐次記録制御手段と、
前記読取部による１の原稿に関する画像データの生成が完了することで前記記録部による記録処理を開始して前記１の原稿の画像を前記被記録媒体に記録する一括記録制御手段と、
前記記録処理の実行指令が入力されることに応じた前記供給部による供給処理の開始タイミングを、前記逐次記録制御手段による制御時に対して前記一括記録制御手段による制御時に遅延させる遅延手段と、
を備えることを特徴とする複写装置。
【請求項２】
前記遅延手段は、前記一括記録制御手段によって前記１の原稿の画像が読み取られる際の解像度が高い場合に前記解像度が低い場合と比較して、前記開始タイミングを遅延させる
ことを特徴とする請求項１記載の複写装置。
【請求項３】
前記遅延手段は、前記一括記録制御手段によって画像を記録するに際し、前記原稿のサイズが大きい場合に前記サイズが小さい場合と比較して、前記開始タイミングを遅延させる
ことを特徴とする請求項１または２記載の複写装置。
【請求項４】
前記遅延手段は、前記一括記録制御手段によって前記読取部に前記１の原稿に関する画像データをモノクロで生成する場合に対してカラーで生成する場合に前記開始タイミングを遅延させることを特徴とする請求項１から３のいずれか１項に記載の複写装置。
【請求項５】
前記遅延手段は、前記一括記録制御手段によって１の原稿の画像を１の被記録媒体に記録するに際し、前記１の原稿の画像データがすべて生成されるまでに要する時間と、前記供給処理に要する時間とに基づき、前記開始タイミングを設定することを特徴とする請求項１から４のいずれか１項に記載の複写装置。
【請求項６】
前記遅延手段は、前記一括記録制御手段によって１の原稿の画像を１の被記録媒体に記録するに際し、前記１の原稿の画像データがすべて生成されるタイミング以前に前記供給処理が完了するように前記開始タイミングを設定することを特徴とする請求項１から５のいずれか１項に記載の複写装置。
【請求項７】
前記遅延手段は、前記一括記録制御手段によって１の原稿の画像を１の被記録媒体に記録するに際し、前記供給処理が完了するタイミングを、１の原稿の画像データがすべて生成されるタイミングに同期させるべく、前記開始タイミングを設定することを特徴とする請求項１から６のいずれか１項に記載の複写装置。
【請求項８】
前記制御部は、１の被記録媒体に１よりも大きい所定数の原稿の画像を記録する複数記録制御手段を備え、
前記遅延手段は、前記複数記録手段によって画像を記録するに際し、前記開始タイミングを、第１番目の原稿の画像データの生成が完了するタイミング以降とすることを特徴とする請求項１から７のいずれか１項に記載の複写装置。
【請求項９】
前記遅延手段は、前記複数記録制御手段によって画像を記録するに際し、前記開始タイミングを、前記所定数よりも１小さい数の原稿の画像データの生成が完了するタイミング以降とすることを特徴とする請求項８記載の複写装置。
【請求項１０】
１の原稿の画像を前記被記録媒体に記録する処理の実行指令をキャンセルする指示が可能なキャンセル指示部を備え、
前記制御部は、１の原稿の画像を前記被記録媒体に記録する処理の実行指令が入力されることで前記一括記録制御手段による処理が開始された後、該実行指令をキャンセルする指示が出される場合、前記１の原稿に関する画像データを生成して前記１の原稿の画像を前記被記録媒体に記録する処理について、これを中止する中止手段を備える
ことを特徴とする請求項１から９のいずれか１項に記載の複写装置。
【発明の詳細な説明】
【技術分野】
【０００１】
本発明は、複写装置に関し、特に、記録処理を好適に行うことができる複写装置に関する。
【背景技術】
【０００２】
例えば下記特許文献１に、複写装置が開示されている。この複写装置では、光センサ等によって被記録媒体の種類を検知し、被記録媒体の種類に応じて原稿の画像を読み取る際の解像度等を定めている。ここで、解像度を高くすることは、副走査方向の読取速度を低下させることで実現すると記載されている。
【先行技術文献】
【特許文献】
【０００３】
【特許文献１】特開２００６−１２８７９４号公報
【発明の概要】
【発明が解決しようとする課題】
【０００４】
ところで、被記録媒体を記録可能な位置に配置するまでには時間を要する。このため、従来は、原稿の画像を被記録媒体に記録する処理の実行指令を受け付けたときに、被記録媒体が記録可能な位置に搬送されていた。しかし、被記録媒体が記録可能な位置に搬送されている途中、または搬送された後、記録が開始されるまでの間に上記実行指令をキャンセルする旨の指示がなされる場合、既に搬送された被記録媒体が不必要に排出される等の問題が生じる。
【０００５】
本発明は、上記問題を解決するためになされたものであり、その目的は、記録処理を好適に行うことができる複写装置を提供することにある。
【課題を解決するための手段】
【０００６】
この目的を達成するために、本発明の複写装置は、原稿の画像を読み取り、画像データを生成する読取部と、被記録媒体を供給する供給部と、前記読取部により生成された画像データによって表現される画像を前記供給部によって供給された前記被記録媒体に記録する記録部と、制御部と、を備え、前記制御部は、前記読取部による１の原稿の画像の読み取り開始後であって且つ該原稿に関する画像データの生成が完了する以前に前記記録部による記録処理を開始して前記１の原稿の画像を前記被記録媒体に記録する逐次記録制御手段と、前記読取部による１の原稿に関する画像データの生成が完了することで前記記録部による記録処理を開始して前記１の原稿の画像を前記被記録媒体に記録する一括記録制御手段と、前記記録処理の実行指令が入力されることに応じた前記供給部による供給処理の開始タイミングを、前記逐次記録制御手段による制御時に対して前記一括記録制御手段による制御時に遅延させる遅延手段と、を備える。
【発明の効果】
【０００７】
請求項１記載の複写装置は、逐次記録制御手段および一括記録制御手段を備える。ここで、逐次記録制御手段によれば、１の原稿の画像データの生成途中で被記録媒体に画像データの表現する画像の記録が開始されるため、供給処理についても画像データの生成処理の完了前に行う必要がある。これに対し、一括記録制御手段によれば、１の原稿の画像データの生成処理の完了後、画像データの表現する画像が被記録媒体に記録されるため、生成処理の完了以前に供給処理を行ったのでは、生成処理の完了以前に一括記録制御手段による制御の実行指令がキャンセルされる場合、被記録媒体を初期位置に戻すか排出する必要が生じる。この点、請求項１記載の複写装置によれば、一括記録制御手段による制御時に供給処理の開始タイミングを遅延させることで、こうした事態が生じることを好適に抑制することができるという効果を奏する。
【０００８】
請求項２記載の複写装置では、一括記録制御手段によって１の原稿の画像が読み取られる際の解像度が高い場合に低い場合と比較して、画像データの生成完了までに要する時間が長くなる傾向があることに着目する。そして、この傾向に基づき解像度に応じて開始タイミングを遅延させることで、請求項１記載の複写装置の有する効果に加えて、供給処理の完了タイミングをより適切に設定することができるという効果を奏する。
【０００９】
請求項３記載の複写装置では、一括記録制御手段によって１の原稿の画像が読み取られる際、原稿のサイズが大きい場合に小さい場合と比較して、画像データの生成完了までに要する時間が長くなる傾向があることに着目する。そして、この傾向に基づきサイズに応じて開始タイミングを遅延させることで、請求項１または２記載の複写装置の有する効果に加えて、供給処理の完了タイミングをより適切に設定することができるという効果を奏する。
【００１０】
請求項４記載の複写装置では、一括記録制御手段によって１の原稿の画像データが生成される際、カラーである場合にモノクロである場合と比較して、画像データの生成完了までに要する時間が長くなる傾向があることに着目する。そして、この傾向に基づきカラーである場合に開始タイミングを遅延させることで、請求項１から３のいずれか１項に記載の複写装置の有する効果に加えて、供給処理の完了タイミングをより適切に設定することができるという効果を奏する。
【００１１】
請求項５記載の複写装置では、供給処理に要する時間と、画像データがすべて生成されるまでに要する時間との一対のパラメータに基づき、開始タイミングを設定する。ここで、画像データがすべて生成されるまでに要する時間が供給に要する時間に対して長いほど、原稿の画像の読取開始タイミングにおいて供給処理を実行した場合に、供給完了後、一括記録制御手段による記録処理がなされるまでの時間が長くなる。このため、これら一対のパラメータを参照することで、請求項１から４のいずれか１項に記載の複写装置の有する効果に加えて、供給処理の完了から記録処理が可能となるまでの時間を適切な値とするように開始タイミングを設定することができるという効果を奏する。
【００１２】
請求項６記載の複写装置では、１の原稿の画像データがすべて生成されるタイミング以前に供給処理が完了するように開始タイミングを設定する。このため、供給処理の完了を待ってから記録処理を開始するといった事態が生じないため、請求項１から５のいずれか１項に記載の複写装置の有する効果に加えて、一括記録制御手段によって被記録媒体に画像を記録する処理を迅速に完了することができるという効果を奏する。
【００１３】
請求項７記載の複写装置では、供給処理の完了タイミングを１の原稿の画像データがすべて生成されるタイミングに同期させる。このため、記録処理の開始タイミングが供給処理によって遅延されることがない旨の条件の下、供給処理の開始タイミングを極力遅延させることができる。したがって、請求項１から６のいずれか１項に記載の複写装置の有する効果に加えて、一括記録制御手段によって被記録媒体に画像を記録する処理を迅速に完了することと、供給処理が無駄になされる事態が生じることを回避することとの好適な両立を図ることができるという効果を奏する。
【００１４】
請求項８記載の複写装置では、複数記録制御手段によって画像を記録する場合、第１番目の原稿の画像データの生成処理が完了するまでは、記録処理を行えない傾向があることに着目する。そして、この傾向に鑑み、第１番目の原稿の画像データの生成処理が完了するタイミング以降に開始タイミングを設定することで、請求項１から７のいずれか１項に記載の複写装置の有する効果に加えて、複数記録制御手段によって被記録媒体に画像を記録する処理の完了タイミングが遅延する事態を抑制しつつも、供給処理が無駄になされる事態が生じることを好適に抑制することができるという効果を奏する。
【００１５】
請求項９記載の複写装置では、少なくとも、１の被記録媒体に画像を記録するための原稿数よりも１少ない数の原稿の画像データの生成が完了するタイミングにおいては、複数記録制御手段によって１の被記録媒体に画像を記録することが可能となる傾向があることに着目する。そして、開始タイミングを、上記１少ない数の原稿の画像データの生成が完了するタイミング以降とすることで、供給処理の完了時において記録処理が可能でない事態が生じることを確実に抑制する。これにより、請求項８記載の複写装置の有する効果に加えて、一括記録制御手段によって被記録媒体に画像を記録する処理の完了タイミングが遅延する事態を抑制しつつも、供給処理が無駄になされる事態が生じることをより好適に抑制することができるという効果を奏する。
【００１６】
請求項１０記載の複写装置では、キャンセル指示部および中止手段を備えるため、一括記録制御手段による画像データの生成処理の開始後、中止手段による中止処理がなされるおそれがある。このため、供給処理の開始タイミングの設定によっては、被記録媒体に画像が記録されていないにもかかわらず供給処理がなされた後に中止処理がなされる事態が生じうる。このため、請求項１から９のいずれか１項に記載の遅延手段の利用価値が特に大きい。
【図面の簡単な説明】
【００１７】
【図１】第１の実施形態にかかるＭＦＰ１０の構成を示すブロック図である。
【図２】スキャナの原稿読取台を示す平面図である。
【図３】読取方向と搬送方向とを示す平面図である。
【図４】原稿の画像を記録用紙に記録するメイン処理の手順を示す流れ図である。
【図５】ダイレクトコピーとメモリコピーとの切り替えを説明するための平面図である。
【図６】読取実行処理の手順を示す流れ図である。
【図７】記録実行処理の手順を示す流れ図である。
【図８】給紙実行処理の手順を示す流れ図である。
【図９】給紙処理の開始タイミングを設定するうえで用いるマップデータを示す図である。
【図１０】給紙処理の開始タイミングを設定するうえで用いるマップデータを示す図である。
【図１１】第２の実施形態にかかる読取実行処理の手順を示す流れ図である。
【図１２】給紙実行処理の手順を示す流れ図である。
【発明を実施するための形態】
【００１８】
＜第１の実施形態＞
以下、本発明にかかる第１の実施形態について、図面を参照しつつ説明する。
【００１９】
図１に、本実施形態にかかる多機能周辺装置（ＭＦＰ）１０の構成を示す。図示されるように、ＭＦＰ１０は、中央処理装置（ＣＰＵ）１２と、読取専用メモリ（ＲＯＭ）１４と、書き込み可能なメモリ（ＲＡＭ）１６とを備えている。ＲＯＭ１４は、各種制御を実行するためのプログラムを記憶する。一方、ＣＰＵ１２は、それらプログラムを実行するハードウェア手段である。
【００２０】
ＣＰＵ１２は、入出力ポート２６を介して、液晶表示装置（ＬＣＤ）１８や、ユーザによって指示内容が入力される入力部２０、プリンタ２２、およびスキャナ２４に接続される。これにより、ＣＰＵ１２は、ＬＣＤ１８や、プリンタ２２、スキャナ２４等と通信し、それらを制御する。なお、本実施形態のプリンタ２２は、記録ヘッドを搭載したキャリッジを往復移動させ、往復移動中に記録ヘッドからインクを吐出させることで記録用紙上に画像を記録する、いわゆるインクジェットプリンタである。
【００２１】
上記スキャナ２４は、図２に示すように、原稿読取台４０を備えている。原稿読取台４０は、プラテンガラス４２を備えている。プラテンガラス４２は、その上面に原稿が載置された後、図示しない原稿カバーによってその全面が覆われる。原稿読取台４０のうちプラテンガラス４２の下方には、主走査方向に延びるラインイメージセンサ４４と、ラインイメージセンサ４４を副走査方向に移動させる搬送機構４６とが設けられている。
【００２２】
上記ラインイメージセンサ４４は、主走査方向における画像の物理的な読取可能領域を定めている。ここで、本実施形態では、主走査方向における画像の物理的な読み取り可能領域よりも副走査方向における画像の物理的な読み取り可能領域の方が長くなっている。すなわち、プラテンガラス４２の短手方向が主走査方向に平行であり、プラテンガラス４２の長手方向が副走査方向に平行である。このため、プラテンガラス４２に載置された原稿の画像は、ラインイメージセンサ４４をプラテンガラス４２の長手方向に変位させることで読み取られることとなる。
【００２３】
スキャナ２４による読取可能な最大領域とプリンタ２２による記録可能な最大領域とは、図３に示すように相似な形状となっている。ここで、図３（ａ）は、スキャナ２４による読み取り可能な最大領域に対応する最大サイズの原稿５２を示し、図３（ｂ）は、プリンタ２２による記録可能な最大領域に対応する最大サイズの記録用紙５０を示す。このため、図３（ａ）の上端部の領域は、図３（ｂ）の上端部の領域に対応する。すなわち、スキャナ２４によって読み取り可能な最大領域で読み取りを行う場合、図３（ａ）に示す原稿５２の上端部の領域において読み取られた画像は、図３（ｂ）に示す記録用紙５０の上端部の領域に記録される。
【００２４】
図３（ａ）では、スキャナ２４による画像の読取可能な最大領域とラインイメージセンサ４４の変位方向である読取方向との関係を示している。これに対し、図３（ｂ）では、プリンタ２２による画像の記録が可能な最大領域と、記録用紙にインクが噴射される領域の移動方向である記録用紙５０の搬送方向との関係を示している。すなわち、本実施形態では、スキャナ２４については、ラインイメージセンサ４４が原稿５２の長手方向に変位しつつ短手方向の画像が読み取られるのに対し、プリンタ２２については、記録用紙を間欠的に短手方向に搬送しつつ、キャリッジを記録用紙の長手方向と平行に往復移動させることで画像が記録される。
【００２５】
長方形状の原稿がプラテンガラス４２に載置されるに際し、原稿の長手方向が副走査方向に平行とされ、且つ、記録用紙の長手方向が、キャリッジの往復移動方向と平行とされる場合、原稿の副走査方向全領域の読み取りが完了しない限り、記録用紙の長手方向に対応する画像データを生成することができないため、記録用紙に画像の記録を開始することができない。つまり、記録処理については、原稿の画像データの生成処理が完成するのを待って開始されることとなる。本実施形態ではこの記録処理を、生成される画像データの全てがＲＡＭ１６に一旦記憶されることにちなんで、メモリコピーと称する。これに対し、長方形状の原稿がプラテンガラス４２に載置されるに際し、原稿の長手方向が主走査方向に平行とされ、且つ、記録用紙の長手方向が、キャリッジの往復移動方向と平行とされる場合、原稿の副走査方向全領域の読み取りが完了しなくても、副走査方向の一部、すなわち、記録用紙の長手方向に対応する画像データが生成されることになる。つまり、記録処理については、原稿の画像データが部分的に生成されると、逐次、その画像データが表現する画像を記録用紙に記録することが可能となる。本実施形態では、この逐次の記録処理をダイレクトコピーと称する。
【００２６】
以下、原稿の画像を読み取りこれを記録用紙に記録する処理について更に詳述する。
【００２７】
図４に、上記処理のうちの基本となるものであるメイン処理の手順を示す。この処理は、ＲＯＭ１４に記憶されたプログラムに基づき、ＭＦＰ１０の電源投入後、ＣＰＵ１２によって、例えば所定周期で繰り返し実行される。
【００２８】
この一連の処理では、まずＳ１０において、ＣＰＵ１２は、実行フラグＦがオンであるか否かを判断する。ここで、実行フラグＦは、オンである場合、プラテンガラス４２上の画像を読み取り、記録用紙に記録するコピー処理の実行指令が生じていることを示し、オフである場合、実行指令が生じていないことを示す。
【００２９】
ＣＰＵ１２は、実行フラグＦがオンではないと判断する場合（Ｓ１０：Ｎｏ）、実行指令が出されたか否かを判断する（Ｓ１２）。この処理は、先の図１に示した入力部２０がユーザによって操作されることで、ユーザによって上記処理の実行指令が出されたか否かを判断するためものである。そしてＣＰＵ１２は、実行指令が出されたと判断する場合（Ｓ１２：Ｙｅｓ）、実行フラグＦをオンする（Ｓ１４）。続いてＣＰＵ１２は、読み取りによって生成される画像データを記録用紙に記録するために、画像データを回転させる必要があるか否かを判断する（Ｓ１６）。この処理は、ダイレクトコピーおよびメモリコピーのいずれか一方を選択するためのものである。
【００３０】
すなわち、図５（ａ）に示すように、長方形状の原稿がプラテンガラス４２に載置されるに際し、原稿５２の長手方向が副走査方向に平行とされる場合、原稿５２に画像を記録するために逐次用いる画像データは、逐次生成される画像データとは、その時系列が相違する。このため、画像データの回転が必要である。これに対し、図５（ｂ）に示すように、長方形状の原稿がプラテンガラス４２に載置されるに際し、原稿５２の長手方向が主走査方向に平行とされる場合、原稿５２に画像を記録するために逐次用いる画像データは、逐次生成される画像データと時系列が一致する。このため、画像データの回転は、不要である。なお、ＭＦＰ１０は、載置される原稿の長手方向が主走査方向に平行なのか、副走査方向に平行なのかの設定や、原稿のサイズの設定を、入力部２０を介してユーザから受け付けることができる。ＣＰＵ１２は、これらの情報に基づいて、画像データの回転が必要か否かを判断する。
【００３１】
ＣＰＵ１２は、先の図４に示すＳ１６の処理において画像データを回転させる必要があると判断する場合（Ｓ１６：Ｙｅｓ）、コピー処理のモードをメモリコピーモードに設定する一方（Ｓ１８）、回転させる必要がないと判断する場合（Ｓ１６：Ｎｏ）、ダイレクトコピーモードに設定する（Ｓ２０）。
【００３２】
一方、ＣＰＵ１２は、上記Ｓ１０において実行フラグＦがオンであると判断する場合（Ｓ１０：Ｙｅｓ）、上記実行指令をキャンセルする旨を指示するためのキャンセルボタンがオンとされたか否かを判断する（Ｓ２２）。入力部２０に設けられたキャンセルボタンがユーザによって押下された場合に、キャンセルボタンがオンとされたと判断する。そしてＣＰＵ１２は、キャンセルボタンがオンであると判断する場合（Ｓ２２：Ｙｅｓ）、実行フラグＦをオフとし、ダイレクトコピーモードおよびメモリコピーモードのうち実際に設定されているコピー処理のモードをキャンセルする（Ｓ２４）。続いてＣＰＵ１２は、記録用紙を記録可能な位置まで移動させる処理である給紙処理が開始された後であるか否かを判断する（Ｓ２６）。ここで、記録用紙は、プリンタ２２の給紙トレイに収納されているものであるが、画像を記録する場合には、記録ヘッド付近まで搬送される。
【００３３】
そしてＣＰＵ１２は、給紙処理が開始された後であると判断する場合（Ｓ２６：Ｙｅｓ）、記録用紙を排出する処理を行う（Ｓ２８）。すなわち、プリンタ２２は、記録用紙を給紙トレイから搬送させた場合、給紙トレイ内に戻す機能を有しないため、搬送してしまった記録用紙については、これをプリンタ２２の外に排出する。なお、この際には、記録用紙に画像が一切記録されていない傾向がある。なぜなら、記録用紙に画像を記録し始めてからユーザがキャンセルボタンをオンとする確率と比較して、記録用紙に画像を記録する以前にユーザがキャンセルボタンをオンとする確率の方が高いからである。
【００３４】
なおＣＰＵ１２は、上記Ｓ１８，Ｓ２０，Ｓ２８の処理が完了する場合や、実行指令がだされていないと判断する場合（Ｓ１２：Ｎｏ）、キャンセルボタンがオンされないと判断する場合（Ｓ２２：Ｎｏ）、給紙処理が開始されていないと判断する場合（Ｓ２６：Ｎｏ）には、この一連の処理を一旦終了する。
【００３５】
図６に、画像の読取処理を実行するための読取実行処理の手順を示す。この処理は、実行フラグＦがオンとなっているときにおいて、ＣＰＵ１２によって、例えば所定周期で繰り返し実行される。
【００３６】
この一連の処理では、ＣＰＵ１２は、まずＳ３０において、コピー処理のモードがメモリコピーモードまたはダイレクトコピーモードであるか否かを判断する。そしてＣＰＵ１２は、メモリコピーモードまたはダイレクトコピーモードであると判断する場合（Ｓ３０：Ｙｅｓ）、画像データを生成しこれをＲＡＭ１６に記憶する処理である読取処理が完了したか否かを判断する（Ｓ３２）。そしてＣＰＵ１２は、読取処理が完了していないと判断する場合（Ｓ３２：Ｎｏ）、スキャナ２４を操作することで画像を読み取る処理を実行する（Ｓ３４）。すなわち、ラインイメージセンサ４４を副走査方向に変位させつつ、ラインイメージセンサ４４による読み取りに応じて記録用紙に記録する画像に関する画像データを生成し、これを先の図１に示したＲＡＭ１６に記憶する。ここで、記録用紙に記録する画像に関する画像データとは、読み取られた画像のみを表現する画像データに限らない。例えば原稿の画像を加工したり、これに何かを追加したり、あるいはこれを修正したりしたものを記録用紙に記録する場合、加工、追加、修正等のなされた画像を表現する画像データのこととなる。ただし、本実施形態では、加工、追加、修正等は、メモリコピーモードにおいてのみ許容されるものとする。
【００３７】
なおＣＰＵ１２は、Ｓ３４の処理を完了する場合や、コピー処理のモードがダイレクトコピーモードでもメモリコピーモードでもないと判断する場合（Ｓ３０：Ｎｏ）、さらには、読取処理が完了したと判断する場合（Ｓ３２：Ｙｅｓ）には、この一連の処理を一旦終了する。
【００３８】
図７に、画像の記録処理を実行するための記録実行処理の手順を示す。この処理は、実行フラグＦがオンとなっているときにおいて、例えば所定周期で繰り返し実行される。
【００３９】
この一連の処理では、ＣＰＵ１２は、まずＳ４０において、コピー処理のモードがメモリコピーモードであるか否かを判断する。そしてＣＰＵ１２は、メモリコピーモードであると判断する場合（Ｓ４０：Ｙｅｓ）、先の図６に示した読取処理が完了したか否かを判断する（Ｓ４２）。換言すれば、記録用紙に記録する画像に関する画像データが全てＲＡＭ１６に記憶されたか否かを判断する。
【００４０】
そしてＣＰＵ１２は、読取処理が完了したと判断する場合（Ｓ４２：Ｙｅｓ）、記録処理が完了したか否かを判断する（Ｓ４４）。そしてＣＰＵ１２は、記録処理が未だ完了していないと判断する場合（Ｓ４４：Ｎｏ）、プリンタ２２を制御することで、ＲＡＭ１６に記憶された画像データによって表現される画像を、記録用紙に記録する（Ｓ４６）。これに対し、ＣＰＵ１２は、記録処理が完了したと判断する場合（Ｓ４４：Ｙｅｓ）、メモリコピーモードおよびダイレクトコピーモードのうちの図４の処理によって設定された方のモードをキャンセルする（Ｓ５０）。この処理は、キャンセルボタンによらずに、コピーモードをキャンセルするためのものである。
【００４１】
一方、上記Ｓ４０においてコピー処理のモードがメモリコピーモードではないと判断する場合（Ｓ４０：Ｎｏ）、ＣＰＵ１２は、ダイレクトコピーモードであるか否かを判断する（Ｓ４８）。そしてダイレクトコピーモードであると判断する場合（Ｓ４８：Ｙｅｓ）、上記Ｓ４２の処理をスキップし、Ｓ４４の処理を実行する。これにより、原稿の画像に関する画像データが全てＲＡＭ１６に記憶されなくても、この画像に関する画像データの一部が読取処理によりＲＡＭ１６に記憶されれば、その一部の画像データに基づいて記録用紙に画像を記録する処理が実行される。
【００４２】
なおＣＰＵ１２は、Ｓ４６，Ｓ５０の処理が完了する場合や、Ｓ４８においてダイレクトコピーモードではないと判断する場合（Ｓ４８：Ｎｏ）には、この一連の処理を一旦終了する。
【００４３】
図８に、本実施形態にかかる給紙処理を実行するための給紙実行処理の手順を示す。この処理は、実行フラグＦがオンとなっているときにおいて、ＣＰＵ１２によって、例えば所定周期で繰り返し実行される。
【００４４】
この一連の処理では、ＣＰＵ１２は、まずＳ６０において、ダイレクトコピーモードへの移行時であるか否かを判断する。換言すれば、図４に示したＳ１６の処理において画像データの回転が不要と判断することでＳ２０の処理がなされた時であるか否かを判断する。そしてＣＰＵ１２は、ダイレクトコピーモードへの移行時であると判断する場合（Ｓ６０：Ｙｅｓ）、給紙処理を開始する（Ｓ６２）。すなわち、ダイレクトコピーモードの場合、画像データの一部が新たに生成される都度、これによって表現される画像を記録用紙に記録するため、給紙処理を迅速に行う必要がある。このため、本実施形態では、ダイレクトコピーモードへの移行時に、給紙処理を開始する。なお、本実施形態では、給紙処理の開始に伴って、記録ヘッドのキャップを外す処理等を実行する。
【００４５】
これに対し、ＣＰＵ１２は、上記Ｓ６０においてコピー処理のモードがダイレクトコピーモードへの移行時ではないと判断する場合（Ｓ６０：Ｎｏ）、メモリコピーモードへの移行時であるか否かを判断する（Ｓ６４）。換言すれば、図４に示したＳ１６の処理において画像データの回転が必要と判断することでＳ１８の処理がなされた時であるか否かを判断する。そしてＣＰＵ１２は、メモリコピーモードへの移行時であると判断する場合（Ｓ６４：Ｙｅｓ）、読取時間Ｔｓｃａｎと、給紙時間Ｔｉｎｓとを取得する（Ｓ６６）。ここで読取時間Ｔｓｃａｎは、先の図５に示した読取処理の開始タイミングである画像の読み取りの開始タイミングから画像データの全てをＲＡＭ１６に記憶するまでに要する時間であり、給紙時間Ｔｉｎｓは、給紙処理を開始した後、記録が開始される位置に記録用紙が搬送されるまでに要する時間である。
【００４６】
ここで読取時間Ｔｓｃａｎは、図９に示すマップデータから取得されるものである。このマップデータでは、原稿サイズや、色（モノクロまたはカラー）、読取品質（読取解像度）、補正処理の有無に応じて、読取時間Ｔｓｃａｎを定義する。ここで、補正処理とは、読み取りによって得られた画像データを補正する処理のことであり、例えば、原稿が傾いてプラテンガラス４２に載置されていた場合に、読み取った画像データに対して傾きを補正する処理や、画像データによって表現される画像の明度や彩度、コントラストなどを補正する処理などである。なお、上記マップデータは、例えばＲＯＭ１４に記憶されている。
【００４７】
読取時間Ｔｓｃａｎは、色、読取品質、補正処理の有無の条件が同一なら、原稿のサイズが大きいほど長くなる。これは、第１に、ラインイメージセンサ４４を副走査方向に移動させる距離が長くなるためであり、第２に、生成される画像データ量が多くなるためである。また、読取時間Ｔｓｃａｎは、原稿サイズ、読取品質、補正処理の有無の条件が同一なら、モノクロと比較してカラーの場合に長くなる。これは、カラーの場合の方が画像データの生成に要する時間が長くなることなどのためである。また、読取時間Ｔｓｃａｎは、原稿サイズ、色、補正処理の有無の条件が同一なら、読取品質が高い（高解像度）ほど長くなる。これは、高解像度であるほど生成される画像データ量が多くなることなどのためである。さらに読取時間Ｔｓｃａｎは、原稿サイズ、色、読取品質の条件が同一なら、補正処理がなされる場合になされない場合と比較して長くなる。これは、画像データの補正処理に別途時間がかかるためである。
【００４８】
なお、原稿サイズは、入力部２０の操作を通じたユーザの指示内容から定まる。また、色や、読取品質、補正処理の有無についても、入力部２０の操作を通じたユーザの指示内容から定まる。
【００４９】
これに対し上記給紙時間Ｔｉｎｓは、図１０に示すマップデータから取得されるものである。このマップデータは、記録用紙サイズ、記録紙タイプ（材質等）、記録品質、記録用紙の収納位置（給紙トレイの種類）、縁の有無に応じて、給紙時間Ｔｉｎｓを定義する。これらは、いずれも給紙処理に要する時間を定めるパラメータである。すなわち、たとえば給紙トレイに応じて、記録用紙を記録可能な位置まで搬送させるまでの物理的な経路が相違することから、記録用紙を記録可能な位置まで搬送させるのに要する時間が相違する。なお、上記マップデータは、例えばＲＯＭ１４に記憶されている。なお、記録紙サイズは、入力部２０の操作を通じたユーザの指示内容から定まる。
【００５０】
上記読取時間Ｔｓｃａｎおよび給紙時間Ｔｉｎｓを取得すると、ＣＰＵ１２は、図８に示すＳ６８において、読取時間Ｔｓｃａｎが給紙時間Ｔｉｎｓよりも長いか否かを判断する。この処理は、給紙処理を直ちに開始するか否かを判断するためのものである。そしてＣＰＵ１２は、読取時間Ｔｓｃａｎが給紙時間Ｔｉｎｓ以下であると判断する場合（Ｓ６８：Ｎｏ）、給紙処理を開始する（Ｓ６２）。すなわち、読取時間Ｔｓｃａｎが給紙時間Ｔｉｎｓ以下であるなら、給紙処理を直ちに開始しても、画像データが全て生成されるタイミングは、給紙処理の完了タイミング以前となる。このため、記録処理を開始するうえで給紙処理の完了を待つ時間を極力短縮すべく、給紙処理を直ちに開始する。
【００５１】
これに対し、ＣＰＵ１２は、読取時間Ｔｓｃａｎが給紙時間Ｔｉｎｓよりも長いと判断する場合（Ｓ６８：Ｙｅｓ）や、上記Ｓ６４においてメモリコピーモードへの移行時ではないと判断する場合（Ｓ６４：Ｎｏ）には、メモリコピーモードに移行してから「Ｔｓｃａｎ−Ｔｉｎｓ」の時間が経過したか否かを判断する（Ｓ７０）。ここで、読取時間Ｔｓｃａｎや給紙時間Ｔｉｎｓは、上記Ｓ６６の処理において取得されたものであり、時間の経過を計時する始点は、Ｓ６６の処理のなされるタイミングである。そしてＣＰＵ１２は、「Ｔｓｃａｎ−Ｔｉｎｓ」の時間が経過したと判断する場合（Ｓ７０：Ｙｅｓ）、給紙処理を開始する（Ｓ６２）。この処理は、給紙処理の終了タイミングを、画像データの生成が完了するタイミングに同期させるための設定である。すなわち、上記Ｓ６６の処理がなされる時点において給紙処理を開始する場合、給紙処理の完了タイミングが読取処理の完了タイミングに対して「Ｔｓｃａｎ−Ｔｉｎｓ」だけ先行する。このため、Ｓ６６の処理がなされる時点から「Ｔｓｃａｎ−Ｔｉｎｓ」だけ経過した後、給紙処理を開始することで、給紙処理の完了タイミングと読取処理の完了タイミングとの同期をとることができる。
【００５２】
なおＣＰＵ１２は、Ｓ６２の処理を完了する場合や、Ｓ７０において「Ｔｓｃａｎ−Ｔｉｎｓ」の時間が未だ経過していないと判断される場合（Ｓ７０：Ｎｏ）には、この一連の処理を一旦終了する。
【００５３】
以上説明した本実施形態によれば、以下の効果が得られるようになる。
【００５４】
（１）ＣＰＵ１２は、メモリコピーモードである場合にダイレクトコピーモードである場合と比較して給紙処理の開始タイミングを遅延させた。これにより、ＣＰＵ１２がメモリコピーモードにおける給紙処理の開始タイミングをダイレクトコピーにおける給紙処理の開始タイミングに一致させる場合と比較して、メモリコピーモードの実行途中において、キャンセルボタンがオンとされた場合であっても、未だ給紙処理が開始されていない状態となる確率を高めることができる。このため、メモリコピーモードにおいて、記録用紙が無駄に排出される事態を好適に抑制することができる。
【００５５】
（２）ＣＰＵ１２は、メモリコピーモードにおいて原稿の画像が読み取られる際の解像度が高い場合に低い場合と比較して、給紙処理の開始タイミングを遅延させた。これにより、メモリコピーモードの実行途中において、キャンセルボタンがオンとされた場合であっても、記録用紙が排出される事態を好適に抑制することができる。
【００５６】
（３）ＣＰＵ１２は、メモリコピーモードにおいて原稿のサイズが大きい場合に小さい場合と比較して、給紙処理の開始タイミングを遅延させた。これにより、メモリコピーモードの実行途中において、キャンセルボタンがオンとされた場合であっても、記録用紙が排出される事態を好適に抑制することができる。
【００５７】
（４）ＣＰＵ１２は、メモリコピーモードにおいてカラーである場合にモノクロである場合と比較して、給紙処理の開始タイミングを遅延させた。これにより、メモリコピーモードの実行途中において、キャンセルボタンがオンとされた場合であっても、記録用紙が排出される事態を好適に抑制することができる。
【００５８】
（５）ＣＰＵ１２は、記録用紙のサイズ、タイプ、記録品質、トレイ、および縁の有無に応じて、給紙処理の開始タイミングを定めるためのパラメータとしての給紙時間Ｔｉｎｓを可変設定した。これにより、給紙処理の開始タイミングをより適切に設定することができる。
【００５９】
（６）ＣＰＵ１２は、メモリコピーモードにおいて給紙処理の完了タイミングを１の原稿の画像データがすべて生成されるタイミングに同期させた。これにより、メモリコピーモードにおいて記録用紙に画像を記録する処理を迅速に完了することと、給紙処理が無駄になされる事態が生じることを回避することとの好適な両立を図ることができる。
【００６０】
（７）キャンセルボタンを備え、キャンセルボタンがオンされることで、ＣＰＵ１２は、メモリコピーモードをキャンセルした。この場合、メモリコピーモードによる画像データの生成処理の開始後、このモードがキャンセルされ、記録用紙に画像が記録されていないにもかかわらずＣＰＵ１２により給紙処理がなされることで、白紙の記録用紙を排出すべき事態が生じる。このため、図８に示した処理の利用価値が特に大きい。
【００６１】
（８）ＣＰＵ１２は、給紙処理の開始に伴って記録ヘッドのキャップを外す処理を行った。このため、メモリコピーモードにおいて記録が実際になされる以前にキャンセルボタンがオンとされる場合であっても、キャップが無駄に外される事態が生じることを好適に抑制することができる。
【００６２】
＜第２の実施形態＞
以下、第２の実施形態について、先の第１の実施形態との相違点を中心に図面を参照しつつ説明する。
【００６３】
本実施形態にかかるＭＦＰ１０は、１の原稿の画像を１の記録用紙に記録する機能のみならず、複数の原稿の画像を１の記録用紙に記録する機能を有する。具体的には、２つの原稿の画像それぞれを１つの記録用紙の一対の面のそれぞれに記録する両面コピーと、２枚または４枚の原稿の画像を１つの記録用紙の１つの面に記録するレイアウトコピーを行う機能を搭載する。これは、上記プラテンガラス４２に載置された原稿の画像の読み取りが完了することで、ユーザにその旨を知らせ、次の原稿を載置するように促すことで実現してもよいし、スキャナ２４にＡＤＦを搭載することで実現してもよい。なお、両面コピーとレイアウトコピーとは、本実施形態において便宜上メモリコピーモードにおいて実行されるように設定される。両面コピーおよびレイアウトコピーは、ユーザによる入力部２０の操作により指定される。また、レイアウトコピーにおいては、何枚の原稿の画像を１つの記録用紙の１つの面に記録するかの指定を、入力部２０を介してユーザから受け付ける。
【００６４】
図１１に、本実施形態にかかる読取実行処理の手順を示す。この処理は、ＣＰＵ１２によって、上記実行フラグＦがオンであることを条件に、繰り返し実行される。なお、図１１において、図６に示した処理と同様の処理については、便宜上同一のステップ番号を付している。
【００６５】
この一連の処理において、Ｓ３２の処理における読み取り完了とは、両面コピー時またはレイアウトコピー時には、全原稿の画像の生成が完了したか否かの判断となる。またＣＰＵ１２は、Ｓ３４の処理を完了すると、両面コピーまたはレイアウトコピーが指示されているか否かを判断する（Ｓ８０）。そしてＣＰＵ１２は、両面コピーまたはレイアウトコピーが指示されていると判断する場合（Ｓ８０：Ｙｅｓ）、新たに１枚の原稿の画像データの生成処理が完了したか否かを判断する（Ｓ８２）。そしてＣＰＵ１２は、上記生成処理が完了したと判断する場合（Ｓ８２：Ｙｅｓ）、画像データの生成処理が完了した原稿の枚数をカウントする読取カウンタをインクリメントする（Ｓ８４）。
【００６６】
これに対しＣＰＵ１２は、上記Ｓ３２において読取処理が完了したと判断する場合（Ｓ３２：Ｙｅｓ）、読取カウンタを初期化する（Ｓ８６）。
【００６７】
図１２に、本実施形態にかかる給紙実行処理の手順を示す。この処理は、ＣＰＵ１２によって、上記実行フラグＦがオンであることを条件に、繰り返し実行される。なお、図１２において、図８に示した処理と同様の処理については、便宜上同一のステップ番号を付している。
【００６８】
この一連の処理において、ＣＰＵ１２は、上記Ｓ６４においてコピー処理のモードがメモリコピーモードへの移行時であると判断する場合（Ｓ６４：Ｙｅｓ）、両面コピーまたはレイアウトコピーが指示されているか否かを判断する（Ｓ９０）。そしてＣＰＵ１２は、両面コピーもレイアウトコピーも指示されていないと判断する場合（Ｓ９０：Ｎｏ）、上記Ｓ６６の処理に移行する。一方、ＣＰＵ１２は、メモリコピーモード移行時ではないと判断する場合（Ｓ６４：Ｎｏ）、両面コピーまたはレイアウトコピーが指示されているか否かを判断する（Ｓ９２）。そしてＣＰＵ１２は、両面コピーもレイアウトコピーも指示されていないと判断する場合（Ｓ９２：Ｎｏ）、上記Ｓ７０の処理に移行する。
【００６９】
これに対し、ＣＰＵ１２は、両面コピーまたはレイアウトコピーが指示されていると判断する場合（Ｓ９２：Ｙｅｓ）、読取カウンタの値が「Ｎ−１」であるか否かを判断する（Ｓ９４）。ここで、「Ｎ」は、１の記録用紙に画像が記録される原稿の数である。すなわち、両面コピーの場合には、「Ｎ＝２」である。またレイアウトコピーにおいて、図中、「２ｉｎ１」と記載されるように、２枚の原稿の画像を１枚の記録用紙に記録する場合、「Ｎ＝２」となる。さらに、レイアウトコピーにおいて、図中、「４ｉｎ１」と記載されるように、４枚の原稿の画像を１枚の記録用紙に記録する場合、「Ｎ＝４」となる。
【００７０】
そしてＣＰＵ１２は、読取カウンタの値が「Ｎ−１」であると判断する場合（Ｓ９４：Ｙｅｓ）、読取時間Ｔｓｃａｎ、給紙時間Ｔｉｎｓ、および既に生成されて且つ記録が可能な画像データの記録に要する時間であるデータ記録時間Ｔｐｒｉｎｔを算出する（Ｓ９６）。ここで、読取時間Ｔｓｃａｎについては、この処理に初めて移行する場合、先の図９に示したマップデータを用いて取得すればよく、その後にこの処理に移行する場合には、初めてこの処理に移行したタイミングからの経過時間に応じて読取時間Ｔｓｃａｎを短縮補正すればよい。また、給紙時間Ｔｉｎｓについては、先の図１０に示したマップデータを用いて取得すればよい。これに対し、データ記録時間Ｔｐｒｉｎｔについては、既に生成されて且つ記録が可能な画像データ量に基づき算出すればよい。なお、読取カウンタが「Ｎ−１」である期間においては、既に生成されて且つ記録が可能な画像データ量は一定であると考えられるため、この処理に初めて移行した時に算出された値が変化することはないと考えられる。
【００７１】
ＣＰＵ１２は、読取時間Ｔｓｃａｎ、給紙時間Ｔｉｎｓ、およびデータ記録時間Ｔｐｒｉｎｔを算出する処理が完了する場合、「Ｔｓｃａｎ―Ｔｉｎｓ＞Ｔｐｒｉｎｔ」が成立するか否かを判断する（Ｓ９８）。そしてＣＰＵ１２は、「Ｔｓｃａｎ―Ｔｉｎｓ＞Ｔｐｒｉｎｔ」が成立しないと判断する場合（Ｓ９８：Ｙｅｓ）、給紙処理を開始する（Ｓ６２）。この設定は、上記記録可能な画像データ量のデータが表現する画像を記録用紙に記録し終わるタイミングを、最後の１枚の原稿の画像データの生成完了タイミングに同期させるための設定である。すなわち、この時点では、「Ｔｓｃａｎ―Ｔｉｎｓ」が「Ｔｐｒｉｎｔ」に等しくなっていると考えられる。そして、この時点で給紙処理を開始すると、給紙処理の完了タイミングが、最後の１枚の原稿の画像データの生成完了タイミングに対して「Ｔｓｃａｎ―Ｔｉｎｓ」だけ先行する。
【００７２】
なおＣＰＵ１２は、上記Ｓ６２の処理を完了する場合や、Ｓ９０において両面コピーまたはレイアウトコピーであると判断する場合（Ｓ９０：Ｙｅｓ）、読取時間Ｔｓｃａｎが給紙時間Ｔｉｎｓよりも大きいと判断する場合（Ｓ６８：Ｙｅｓ）、「Ｔｓｃａｎ−Ｔｉｎｓ」が成立しないと判断する場合（Ｓ７０：Ｎｏ），読取カウンタが「Ｎ−１」ではないと判断する場合（Ｓ９４：Ｎｏ），「Ｔｓｃａｎ―Ｔｉｎｓ＞Ｔｐｒｉｎｔ」が成立すると判断する場合（Ｓ９８：Ｙｅｓ）には、この一連の処理を一旦終了する。
【００７３】
以上説明した本実施形態によれば、先の第１の実施形態の上記（１）〜（８）の効果に加えて、さらに以下の効果が得られる。
【００７４】
（９）両面コピーまたはレイアウトコピーにおいて、最後の１枚の原稿の画像データの生成完了タイミングに、それ以前に生成されて且つ記録可能となっている画像データの記録処理の完了タイミングを同期させた。これにより、記録処理を迅速に終了させることと、給紙処理が無駄になされる事態が生じることを抑制することとの好適な両立を図ることができる。
【００７５】
＜解決手段と実施形態との対応＞
読取部として、スキャナ２４を例示した。
供給部および記録部として、プリンタ２２を例示した。
制御部として、ＣＰＵ１２を例示した。
キャンセル指示部として、入力部２０を例示した。
被記録媒体として、記録用紙５０を例示した。
原稿として、原稿５２を例示した。
逐次記録制御手段として、Ｓ４８の処理において肯定判断された場合の処理を例示した。
一括記録制御手段として、Ｓ４０において肯定判断された場合の処理を例示した。
遅延手段として、Ｓ７０，Ｓ９８の処理を例示した。
複数記録制御手段として、Ｓ３２，Ｓ３４，Ｓ８０〜Ｓ８４の処理を実行する手段を例示した。
中止手段として、Ｓ２２，Ｓ２４の処理を例示した。
【００７６】
＜その他の実施形態＞
以上、上記実施形態に基づき本発明を説明したが、本発明は上記形態に何ら限定されるものではなく、本発明の趣旨を逸脱しない範囲内で種々の変形改良が可能であることは容易に推察できるものである。各実施形態は、それぞれ、他の実施形態が有する構成の一部または複数部分を、その実施形態に追加し或いはその実施形態の構成の一部または複数部分と交換等することにより、その実施形態を変形して構成するようにしてもよい。以下、上記実施形態の変形例としての実施形態を記載する。
【００７７】
上記各実施形態では、給紙時間Ｔｉｎｓを、記録用紙のサイズや記録用紙のタイプ、記録品質、記録用紙の配置、縁の有無に応じて可変設定したがこれに限らない。例えば、これらの一部のパラメータのみに基づき可変設定してもよい。もっとも、給紙時間Ｔｉｎｓを可変設定すること自体必須ではなく、これを固定値としてもよい。
【００７８】
上記各実施形態では、読取時間Ｔｓｃａｎを、原稿のサイズ、モノクロかカラーか、読取品質、補正の有無に基づき可変設定したが、これに限らない。例えばこれらの一部のパラメータのみに基づき可変設定してもよい。これは、例えば、記録品質にかかわらず、原稿サイズがＡ５の場合と比較してＡ４の場合に画像データの生成処理の完了までに要する時間が長くなる装置において、サイズがＡ５またはＡ４である場合、記録品質を参照することなく読取時間Ｔｓｃａｎを設定することで実現できる。なお、例えば、原稿の有無を判断する処理を実行するものや、原稿サイズを検知するためのプレスキャン処理を実行するものや、原稿の傾きに応じて読取範囲を補正する処理を実行するものにあっては、それらの処理に要する時間を読取時間Ｔｓｃａｎに含めることが望ましい。
【００７９】
上記第１の実施形態において、メモリコピーの場合、ダイレクトコピーの場合と比較して固定された遅延量だけ給紙開始タイミングを遅延させるようにしてもよい。ただしこの場合、遅延量は、給紙処理の完了タイミングが記録可能な画像データの生成が完了するタイミング以前となるように設定することが望ましい。
【００８０】
上記第２の実施形態では、両面コピーまたはレイアウトコピーがなされているときにおいて、最後の１枚の原稿画像の読取時に、現在時からの読取時間Ｔｓｃａｎ、給紙時間Ｔｉｎｓ、およびデータ記録時間Ｔｐｒｉｎｔを逐次算出したが、これに限らない。例えば、読取カウンタが「Ｎ−２」から「Ｎ−１」に変化した時点において一度、読取時間Ｔｓｃａｎ、給紙時間Ｔｉｎｓ、およびデータ記録時間Ｔｐｒｉｎｔを算出するのみとしてもよい。この場合、その時点において、「Ｔｓｃａｎ−Ｔｉｎs＞Ｔｐｒｉｎｔ」が成立しない場合、ＣＰＵ１２によりＳ６２の処理を実行し、成立する場合、「Ｔｓｃａｎ−Ｔｉｎs−Ｔｐｒｉｎｔ」の時間が経過することでＳ６２に移行するようにすればよい。
【００８１】
上記第２の実施形態において、両面コピーまたはレイアウトコピーがなされている場合、読取カウンタが「Ｎ−１」となる時点で給紙処理を開始してもよい。
【００８２】
上記第２の実施形態では、４枚の原稿の画像を１枚の記録用紙に記録する場合であっても、３枚目の原稿に関する画像データの生成完了までは給紙処理を開始しないこととしたが、これに限らない。例えば、２枚の原稿の画像データが生成された時点で、画像データの表現する画像の記録を開始することができるのであれば、２枚目の原稿の画像データが生成された時点で給紙処理を開始し、給紙処理が完了することで画像データの表現する画像を記録用紙に記録してもよい。さらに、この場合、給紙処理の完了タイミングを、２枚目の原稿の画像データの生成処理の完了タイミングに同期させるように、２枚目の原稿の画像データの生成処理の途中で給紙処理を開始してもよい。こうした処理は、２枚目までの原稿の画像を記録用紙に記録し終わるまでに３枚目および４枚目の原稿の画像データの生成処理が完了する場合に特に有効である。
【００８３】
一括記録制御手段による制御を選択する条件としては、画像データの回転が必要である旨の条件に限らない。例えば、読み取りによって生成された原稿を表現する画像データに対し、加工、追加、修正を施す処理がなされる旨の条件としてもよい。
【００８４】
複数記録手段としては、両面コピーおよびレイアウトコピーの双方を実現可能な手段に限らない。また、レイアウトコピーとしては、２枚の原稿の画像を１枚の記録用紙の１の面に記録したり、４枚の原稿の画像を１枚の記録用紙の１の面に記録したりするものに限らない。例えば、３枚の原稿の画像を１枚の記録用紙の１の面に記録したり、６枚の原稿の画像を１枚の記録用紙の１の面に記録したりするものであってもよい。
【００８５】
被記録媒体としては、記録用紙に限らず、例えば、ＣＤ等のディスク媒体や、ＯＨＰシート等であってもよい。
【００８６】
上記実施形態では、給紙処理の開始に伴って記録ヘッドのキャップを外すこととしたが、これに限らない。こうした処理を行わなくても、遅延手段は、画像を記録用紙に記録する旨の実行指令が出された後、キャンセルボタンが押されることで、白紙の記録用紙がプリンタから排出される事態を回避することができるために有効である。
【００８７】
供給部としては、記録用紙を記録可能な位置まで移動させた後、これを元の位置に戻すことができないものに限らない。元の位置に戻すことができるものであっても、遅延手段は、元の位置に戻すという無駄な処理が実行される頻度を低減するうえで有効である。
【００８８】
記録部としては、インクジェット式のプリンタに限らず、例えばレーザプリンタ等であってもよい。この場合であっても、画像を記録用紙に記録する旨の実行指令が出された後、キャンセルボタンが押されることで、白紙の記録用紙がプリンタから排出される事態を回避するうえでは、本発明の適用は有効である。
【００８９】
制御部としては、ソフトウェアを実行するハードウェア手段（ＣＰＵ１２）に限らない。たとえば、逐次記録制御手段や、一括記録制御手段、遅延手段、複数記録制御手段等を全て専用のロジック回路にて構成してもよく、また、一部に限って専用のロジック回路にて構成してもよい。
【符号の説明】
【００９０】
１０…ＭＦＰ、２２…プリンタ、２４…スキャナ、４２…プラテンガラス、４４…ラインイメージセンサ。
【図１】
2014143556.tif 000003
【図２】
2014143556.tif 000004
【図３】
2014143556.tif 000005
【図４】
2014143556.tif 000006
【図５】
2014143556.tif 000007
【図６】
2014143556.tif 000008
【図７】
2014143556.tif 000009
【図８】
2014143556.tif 000010
【図９】
2014143556.tif 000011
【図１０】
2014143556.tif 000012
【図１１】
2014143556.tif 000013
【図１２】
2014143556.tif 000014